(57)【要約】【課題】異なる記録媒体への記録処理とその記録媒体間のダビング処理とが実行可能とされているときに、効率的にこれらを両立させて実行させることが可能な情報記録装置等を提供する。【解決手段】ハードディスクからＤＶＤへのダビング処理が予約されたとき、当該ダビング処理の対象となる情報と、その開始時刻情報と、に基づいてダビング処理の終了時刻を算出し（ステップＳ７、Ｓ８、Ｓ９、Ｓ１０）、その算出された終了時刻と、上記開始時刻と、に基づいて、ＤＶＤに対する録画処理とダビング処理とが並行して予約されたか否かを判定し（ステップＳ１２）、ＤＶＤに対する録画処理とダビング処理とが並行して予約されたとき当該録画処理とダビング処理との並行実行が禁止されていることを告知する（ステップＳ１５）。【選択図】      図２
2005044423.tif 000002
【特許請求の範囲】
【請求項１】
一の記録媒体から情報を検出し当該検出した情報を他の記録媒体に記録する検出記録処理、前記一の記録媒体から検出された情報を当該一の記録媒体自体に再記録する検出記録処理又は前記他の記録媒体から検出された情報を当該他の記録媒体自体に再記録する検出記録処理の少なくともいずれか一つと、前記一の記録媒体に対する情報の記録処理と、前記他の記録媒体に対する情報の記録処理と、を行う情報記録装置であって、少なくとも、前記他の記録媒体に対する前記記録処理と当該他の記録媒体を用いる前記検出記録処理のいずれかとを並行して実行することが禁止されている情報記録装置において、
前記一の記録媒体及び前記他の記録媒体への前記記録処理の実行を夫々予約するために用いられる第１予約手段と、
前記他の記録媒体を用いる前記検出記録処理の実行の開始時刻を示す開始時刻情報が入力されることで当該他の記録媒体を用いる前記検出記録処理の実行を予約するために用いられる第２予約手段と、
前記他の記録媒体を用いる前記検出記録処理の実行が予約されたとき、当該他の記録媒体を用いる前記検出記録処理実行の対象となる前記情報と、前記入力された開始時刻情報と、に基づいて当該他の記録媒体を用いる前記検出記録処理の終了時刻を算出する算出手段と、
前記算出された終了時刻を示す終了時刻情報と、前記入力された開始時刻情報と、に基づいて、前記他の記録媒体に対する前記記録処理と当該他の記録媒体を用いる前記検出記録処理とが並行して実行されるように予約されたか否かを判定する判定手段と、
前記他の記録媒体に対する前記記録処理と当該他の記録媒体を用いる前記検出記録処理とが並行して実行されるように予約されたとき、当該記録処理と当該他の記録媒体を用いた検出記録処理との並行した実行が禁止されていることを告知するための告知情報を出力する出力手段と、を備えることを特徴とする情報記録装置。
【請求項２】
請求項１に記載の情報記録装置において、
前記一の記録媒体に対する前記情報の記録が符号化処理を伴うものである場合において、
前記判定手段は、前記算出された終了時刻を示す終了時刻情報と、前記入力された開始時刻情報と、に基づいて、前記一の記録媒体に対する前記記録処理と当該一の記録媒体を用いる前記検出記録処理とが並行して実行されるように予約されたか否かを判定すると共に、
前記一の記録媒体に対する前記記録処理と当該一の記録媒体を用いる前記検出記録処理とが並行して実行されるように予約されたとき、当該一の記録媒体を用いる前記検出記録処理が、当該一の記録媒体を用いる前記検出記録処理の対象となっている前記情報に対する復号処理及び前記符号化処理を伴うものか否かを更に判定し、
前記出力手段は、前記一の記録媒体に対する前記記録処理と当該一の記録媒体を用いる前記検出記録処理とが並行して実行されるように予約され、且つ、当該一の記録媒体を用いる前記検出記録処理が前記復号処理及び前記符号化処理を伴うものであると判定されたとき、当該第一の記録媒体に対する記録処理と当該一の記録媒体を用いる前記検出記録処理との並行した実行が禁止されていることを告知するための告知情報を出力することを特徴とする情報記録装置。
【請求項３】
請求項１又は２に記載の情報記録装置において、
前記他の記録媒体に対する前記記録処理又は前記一の記録媒体に対する前記記録処理の少なくともいずれか一方と、いずれかの前記検出記録処理と、が並行して実行されるように予約されたとき、前記いずれか一方が実行されることが予約されている時間に基づいて、前記いずれかの検出記録処理を実行することが可能な時間である実行可能時間を検索する検索手段と、
前記検索された実行可能時間に前記いずれかの検出記録処理が実行されるように当該いずれかの検出記録処理を実行する時間の予約内容を変更する変更手段と、を備えることを特徴とする情報記録装置。
【請求項４】
請求項３に記載の情報記録装置において、
前記実行可能時間が複数検索されたとき、前記変更手段は、当該検索された複数の実行可能時間に対応して前記いずれかの検出記録処理が分割されて実行されるように前記予約内容を変更することを特徴とする情報記録装置。
【請求項５】
請求項４に記載の情報記録装置において、
前記開始時刻情報が入力されているとき、前記変更手段は、前記開始時刻以降の前記実行可能時間のうち早い時間を示す当該実行可能時間から順に前記いずれかの検出記録処理が分割されて実行されるように前記予約内容を変更することを特徴とする情報記録装置。
【請求項６】
請求項４に記載の情報記録装置において、
前記いずれかの検出記録処理の実行の終了時刻を示す終了時刻情報が入力されることで当該いずれかの検出記録処理の実行を予約するために用いられる第３予約手段を更に備え、
前記終了時刻情報が入力されているとき、前記変更手段は、前記終了時刻以前の前記実行可能時間のうち早い時間を示す当該実行可能時間に遡って順に前記いずれかの検出記録処理が分割されて実行されるように前記予約内容を変更することを特徴とする情報記録装置。
【請求項７】
一の記録媒体から情報を検出し当該検出した情報を他の記録媒体に記録する検出記録処理、前記一の記録媒体から検出された情報を当該一の記録媒体自体に再記録する検出記録処理又は前記他の記録媒体から検出された情報を当該他の記録媒体自体に再記録する検出記録処理の少なくともいずれか一つと、前記一の記録媒体に対する情報の記録処理と、前記他の記録媒体に対する情報の記録処理と、を行うに当たり、少なくとも、前記他の記録媒体に対する前記記録処理と当該他の記録媒体を用いる前記検出記録処理のいずれかとを並行して実行することが禁止されている情報記録方法において、
前記一の記録媒体及び前記他の記録媒体への前記記録処理の実行を夫々予約する第１予約工程と、
前記他の記録媒体を用いる前記検出記録処理の実行の開始時刻を示す開始時刻情報が入力されることで当該他の記録媒体を用いる前記検出記録処理の実行を予約する第２予約工程と、
前記他の記録媒体を用いる前記検出記録処理の実行が予約されたとき、当該他の記録媒体を用いる前記検出記録処理実行の対象となる前記情報と、前記入力された開始時刻情報と、に基づいて当該他の記録媒体を用いる前記検出記録処理の終了時刻を算出する算出工程と、
前記算出された終了時刻を示す終了時刻情報と、前記入力された開始時刻情報と、に基づいて、前記他の記録媒体に対する前記記録処理と当該他の記録媒体を用いる前記検出記録処理とが並行して実行されるように予約されたか否かを判定する判定工程と、
前記他の記録媒体に対する前記記録処理と当該他の記録媒体を用いる前記検出記録処理とが並行して実行されるように予約されたとき、当該記録処理と当該他の記録媒体を用いた検出記録処理との並行した実行が禁止されていることを告知するための告知情報を出力する出力工程と、を備えることを特徴とする情報記録方法。
【請求項８】
一の記録媒体から情報を検出し当該検出した情報を他の記録媒体に記録する検出記録処理、前記一の記録媒体から検出された情報を当該一の記録媒体自体に再記録する検出記録処理又は前記他の記録媒体から検出された情報を当該他の記録媒体自体に再記録する検出記録処理の少なくともいずれか一つと、前記一の記録媒体に対する情報の記録処理と、前記他の記録媒体に対する情報の記録処理と、を行う情報記録装置であって、少なくとも、前記他の記録媒体に対する前記記録処理と当該他の記録媒体を用いる前記検出記録処理のいずれかとを並行して実行することが禁止されている情報記録装置に含まれるコンピュータを、
前記一の記録媒体及び前記他の記録媒体への前記記録処理の実行を夫々予約するために用いられる第１予約手段、
前記他の記録媒体を用いる前記検出記録処理の実行の開始時刻を示す開始時刻情報が入力されることで当該他の記録媒体を用いる前記検出記録処理の実行を予約するために用いられる第２予約手段、
前記他の記録媒体を用いる前記検出記録処理の実行が予約されたとき、当該他の記録媒体を用いる前記検出記録処理実行の対象となる前記情報と、前記入力された開始時刻情報と、に基づいて当該他の記録媒体を用いる前記検出記録処理の終了時刻を算出する算出手段、
前記算出された終了時刻を示す終了時刻情報と、前記入力された開始時刻情報と、に基づいて、前記他の記録媒体に対する前記記録処理と当該他の記録媒体を用いる前記検出記録処理とが並行して実行されるように予約されたか否かを判定する判定手段、及び、
前記他の記録媒体に対する前記記録処理と当該他の記録媒体を用いる前記検出記録処理とが並行して実行されるように予約されたとき、当該記録処理と当該他の記録媒体を用いた検出記録処理との並行した実行が禁止されていることを告知するための告知情報を出力する出力手段、として機能させることを特徴とする情報記録用プログラム。
【請求項９】
請求項８に記載の情報記録用プログラムが前記コンピュータで読取可能に記録されていることを特徴とする情報記録媒体。
【発明の詳細な説明】
【０００１】
【発明の属する技術分野】
本発明は、情報記録装置及び情報記録方法並びに情報記録用プログラム及び情報記録媒体の技術分野に属し、より詳細には、ハードディスク等の一の記録媒体と、ＤＶＤ（Ｄｉｇｉｔａｌ  Ｖｅｒｓａｔｉｌｅ  Ｄｉｓｃ）等の他の記録媒体と、に対して夫々に情報の記録が可能な情報記録装置及び情報記録方法並びに当該情報記録用の情報記録用プログラム及び当該情報記録用プログラムが記録された情報記録媒体の技術分野に属する。
【０００２】
【従来の技術】
近年、複数種類の記録媒体、例えばハードディスク等の磁気記録媒体と、光ディスク等の光学記録媒体と、を含み、これらに対して例えば受信した放送電波により搬送されてきた放送番組の情報等を記録することが可能であると共に、磁気記録媒体に一時的に記録しておいた当該情報等を光学記録媒体へ移動又は複写するいわゆるダビングを実行することが可能なレコーダが市販されている。
【０００３】
一方、このような従来のレコーダにおいては、上述した如き情報の記録処理やダビングを予め設定された時刻に開始するように予約しておくことが可能とされている。
【０００４】
【発明が解決しようとする課題】
しかしながら、上記した従来のレコーダにおいては、各記録媒体への記録処理の実行時間と上記したダビングの実行時間とが自動的に調整されることは考慮されておらず、これらの実行時間が重複した場合には、使用者が夫々の実行時間を考慮していずれか一方を他の時間に予約し直すことを行わざるを得ないという問題点があった。
【０００５】
そして、この場合には効率的に記録処理とダビングとを両立させることができず、場合によっては使用者の失念等によりどちらか一方が正常に実現されない可能性も出てくることになる。
【０００６】
そこで、本願は、上記の問題点に鑑みて為されたもので、その課題の一例は、異なる記録媒体への記録処理とその記録媒体間のダビングとが実行可能とされているときに、効率的にこれらを両立させて実行させることが可能な情報記録装置及び情報記録方法並びに当該情報記録用の情報記録用プログラム及び当該情報記録用プログラムが記録された情報記録媒体を提供することにある。
【０００７】
【課題を解決するための手段】
上記の課題を解決するために、請求項１に記載の発明は、ハードディスク等の一の記録媒体から情報を検出し当該検出した情報をＤＶＤ等の他の記録媒体に記録する検出記録処理、前記一の記録媒体から検出された情報を当該一の記録媒体自体に再記録する検出記録処理又は前記他の記録媒体から検出された情報を当該他の記録媒体自体に再記録する検出記録処理の少なくともいずれか一つと、前記一の記録媒体に対する情報の記録処理と、前記他の記録媒体に対する情報の記録処理と、を行う情報記録装置であって、少なくとも、前記他の記録媒体に対する前記記録処理と当該他の記録媒体を用いる前記検出記録処理のいずれかとを並行して実行することが禁止されている情報記録装置において、前記一の記録媒体及び前記他の記録媒体への前記記録処理の実行を夫々予約するために用いられるリモコン等の第１予約手段と、前記他の記録媒体を用いる前記検出記録処理の実行の開始時刻を示す開始時刻情報が入力されることで当該他の記録媒体を用いる前記検出記録処理の実行を予約するために用いられるリモコン等の第２予約手段と、前記他の記録媒体を用いる前記検出記録処理の実行が予約されたとき、当該他の記録媒体を用いる前記検出記録処理実行の対象となる前記情報と、前記入力された開始時刻情報と、に基づいて当該他の記録媒体を用いる前記検出記録処理の終了時刻を算出するシステム制御部等の算出手段と、前記算出された終了時刻を示す終了時刻情報と、前記入力された開始時刻情報と、に基づいて、前記他の記録媒体に対する前記記録処理と当該他の記録媒体を用いる前記検出記録処理とが並行して実行されるように予約されたか否かを判定するシステム制御部等の判定手段と、前記他の記録媒体に対する前記記録処理と当該他の記録媒体を用いる前記検出記録処理とが並行して実行されるように予約されたとき、当該記録処理と当該他の記録媒体を用いた検出記録処理との並行した実行が禁止されていることを告知するための告知情報を出力するシステム制御部等の出力手段と、を備える。
【０００８】
上記の課題を解決するために、請求項７に記載の発明は、ハードディスク等の一の記録媒体から情報を検出し当該検出した情報をＤＶＤ等の他の記録媒体に記録する検出記録処理、前記一の記録媒体から検出された情報を当該一の記録媒体自体に再記録する検出記録処理又は前記他の記録媒体から検出された情報を当該他の記録媒体自体に再記録する検出記録処理の少なくともいずれか一つと、前記一の記録媒体に対する情報の記録処理と、前記他の記録媒体に対する情報の記録処理と、を行うに当たり、少なくとも、前記他の記録媒体に対する前記記録処理と当該他の記録媒体を用いる前記検出記録処理のいずれかとを並行して実行することが禁止されている情報記録方法において、前記一の記録媒体及び前記他の記録媒体への前記記録処理の実行を夫々予約する第１予約工程と、前記他の記録媒体を用いる前記検出記録処理の実行の開始時刻を示す開始時刻情報が入力されることで当該他の記録媒体を用いる前記検出記録処理の実行を予約する第２予約工程と、前記他の記録媒体を用いる前記検出記録処理の実行が予約されたとき、当該他の記録媒体を用いる前記検出記録処理実行の対象となる前記情報と、前記入力された開始時刻情報と、に基づいて当該他の記録媒体を用いる前記検出記録処理の終了時刻を算出する算出工程と、前記算出された終了時刻を示す終了時刻情報と、前記入力された開始時刻情報と、に基づいて、前記他の記録媒体に対する前記記録処理と当該他の記録媒体を用いる前記検出記録処理とが並行して実行されるように予約されたか否かを判定する判定工程と、前記他の記録媒体に対する前記記録処理と当該他の記録媒体を用いる前記検出記録処理とが並行して実行されるように予約されたとき、当該記録処理と当該他の記録媒体を用いた検出記録処理との並行した実行が禁止されていることを告知するための告知情報を出力する出力工程と、を備える。
【０００９】
上記の課題を解決するために、請求項８に記載の発明は、ハードディスク等の一の記録媒体から情報を検出し当該検出した情報をＤＶＤ等の他の記録媒体に記録する検出記録処理、前記一の記録媒体から検出された情報を当該一の記録媒体自体に再記録する検出記録処理又は前記他の記録媒体から検出された情報を当該他の記録媒体自体に再記録する検出記録処理の少なくともいずれか一つと、前記一の記録媒体に対する情報の記録処理と、前記他の記録媒体に対する情報の記録処理と、を行う情報記録装置であって、少なくとも、前記他の記録媒体に対する前記記録処理と当該他の記録媒体を用いる前記検出記録処理のいずれかとを並行して実行することが禁止されている情報記録装置に含まれるコンピュータを、前記一の記録媒体及び前記他の記録媒体への前記記録処理の実行を夫々予約するために用いられる第１予約手段、前記他の記録媒体を用いる前記検出記録処理の実行の開始時刻を示す開始時刻情報が入力されることで当該他の記録媒体を用いる前記検出記録処理の実行を予約するために用いられる第２予約手段、前記他の記録媒体を用いる前記検出記録処理の実行が予約されたとき、当該他の記録媒体を用いる前記検出記録処理実行の対象となる前記情報と、前記入力された開始時刻情報と、に基づいて当該他の記録媒体を用いる前記検出記録処理の終了時刻を算出する算出手段、前記算出された終了時刻を示す終了時刻情報と、前記入力された開始時刻情報と、に基づいて、前記他の記録媒体に対する前記記録処理と当該他の記録媒体を用いる前記検出記録処理とが並行して実行されるように予約されたか否かを判定する判定手段、及び、前記他の記録媒体に対する前記記録処理と当該他の記録媒体を用いる前記検出記録処理とが並行して実行されるように予約されたとき、当該記録処理と当該他の記録媒体を用いた検出記録処理との並行した実行が禁止されていることを告知するための告知情報を出力する出力手段、として機能させる。
【００１０】
上記の課題を解決するために、請求項９に記載の発明は、請求項８に記載の情報記録用プログラムが前記コンピュータで読取可能に記録されている。
【００１１】
【発明の実施の形態】
次に、本願に好適な実施の形態について、図面に基づいて説明する。なお、以下に説明する実施の形態は、ハードディスク（以下、「ＨＤ」と称する。）及びＤＶＤに放送番組を記録する情報記録装置としてのレコーダに対して、本願を適用した場合の実施の形態である。
【００１２】
（Ｉ）レコーダの実施形態
まず、具体的な実施形態について説明する前に、その前提として、実施形態に係るレコーダの全体構成及び概要動作について、図１を用いて説明する。なお、図１は本願に係るレコーダの概要構成を示すブロック図である。
【００１３】
実施形態のレコーダ１００は、図１に示すように、映像データ及び音声データが記録される一の記録媒体としてのＨＤ２００に対して、そのデータの書込み又は読出しを行うＨＤドライブ２０１と、映像データ及び音声データが記録される他の記録媒体としてのＤＶＤ２０２に対して、そのデータの書込み又は読出しを行う記録手段としてのＤＶＤドライブ２０３と、放送番組などの映像信号及び音声信号などの映像データ及び音声データが入力され、ＨＤ２００又はＤＶＤ２０２に当該映像データ及び音声データを記録するデータ記録系１２０と、ＨＤ２００又はＤＶＤ２０２から既に記録されている映像データ及び音声データを読み出し各データの再生を行うデータ再生系１４０と、データ記録系１２０及びデータ再生系１４０を制御するシステム制御系１６０と、から構成される。
【００１４】
このとき、ＨＤドライブ２０１には、ＤＶＤドライブ２０３からの出力又はデータ記録系１２０からの出力を切り替える第１ドライブ切替部２０４と、ＡＴＡＰＩ（ＡＴ  Ａｔｔａｃｈｍｅｎｔ  Ｐａｃｋｅｔ  Ｉｎｔｅｒｆａｃｅ）などの規格に準拠したＨＤ用ドライブインターフェース２０５と、が接続されており、この第１ドライブ切替部２０４は、後述するシステム制御部１６６の制御により、入力及び出力の切り替えを行う。
【００１５】
また、このＨＤドライブ２０１は、予めＨＤ２００に記録され、映像データ及び音声データを有するプログラムストリームを当該ＨＤ２００から読み出してＨＤ用ドライブインターフェース２０５を介してデータ再生系１４０に出力すると共に、データ記録系１２０によって生成され、当該ＨＤ用ドライブインターフェース２０５を介して入力されたプログラムストリームをＨＤ２００に記録する。
【００１６】
一方、ＤＶＤドライブ２０３には、ＨＤドライブ２０１からの出力又はデータ記録系１２０からの出力を切り替える第２ドライブ切替部２０６と、ＡＴＡＰＩなどの規格に準拠したＤＶＤ用ドライブインターフェース２０７と、が接続されており、この第２ドライブ切替部２０６は、第１ドライブ切替部２０４と同様に、後述するシステム制御部１６６の制御により、入力及び出力の切り替えを行う。
【００１７】
また、このＤＶＤドライブ２０３は、ＨＤドライブ２０１と同様に、予めに記録され、映像データ及び音声データを有するプログラムストリームを当該ＤＶＤ２０２から読み出してＤＶＤ用ドライブインターフェース２０７を介してデータ再生系１４０に出力すると共に、データ記録系１２０によって生成され、当該ＤＶＤ用ドライブインターフェース２０７を介して入力されたプログラムストリームをＤＶＤ２０２に記録する。
【００１８】
次に、実施形態のレコーダ１００におけるデータ記録系１２０の具体的構成及び動作について説明する。
【００１９】
実施形態のレコーダ１００におけるデータ記録系１２０は、アンテナＡＴを介して各放送局から送信された放送波を受信するＴＶ受信部１２１と、映像入力端子及び音声入力端子を介して外部から入力されたアナログの映像信号及び音声信号とＴＶ受信部１２１からの出力を切り替える第１入力切替部１２２及び第２入力切替部１２３と、受信又は入力されたＴＶ用映像信号をデジタル信号に変換する第１アナログ／デジタル（以下「Ａ／Ｄ」と称する）コンバータ１２４と、受信又は入力された音声信号をデジタル信号に変換する第２Ａ／Ｄコンバータ１２５と、デジタル信号に変換されたＴＶ用映像信号を映像信号にデコードする映像信号デコーダ１２６と、エンコードする映像信号及び音声信号を選択する選択部１２７と、選択部１２７によって選択された映像信号をＭＰＥＧ（Ｍｏｔｉｏｎ  Ｐｉｃｔｕｒｅ  Ｅｘｐｅｒｔ  Ｇｒｏｕｐ）フォーマットに変換する映像エンコーダ１２８と、選択部１２７によって選択された音声信号をＡＣ（Ａｕｄｉｏ  Ｃｏｄｉｎｇ）−３フォーマットに変換する音声エンコーダ１２９と、ＭＰＥＧフォーマットの映像データとＡＣ−３フォーマットの音声データとからプログラムストリームを生成するマルチプレクサ１３０と、から構成される。
【００２０】
このとき、ＴＶ受信部１２１は、アンテナＡＴを介して各放送局から送信された放送波、例えば、ＶＨＦ又はＢＳなどのＲＦ信号を受信し、使用者の選択した受信帯域に同調して受信した信号波をＩＦ（中間周波数）信号に変換すると共に、ＴＶ映像信号及び音声信号に復調して第１入力切替部１２２に出力する。
【００２１】
そして、第１入力切替部１２２には、ＴＶ受信部１２１から出力されたＴＶ用映像信号と映像入力端子を介して外部から入力されたアナログの映像信号とが入力され、この第１入力切替部１２２は、システム制御系１６０の制御に基づいて、これらの入力されたＴＶ用映像信号を選択的に切り替えて、映像信号を第１Ａ／Ｄコンバータ１２４にする。
【００２２】
一方、第２入力切替部１２３には、ＴＶ受信部１２１から出力された音声信号と音声入力端子を介して外部から入力されたアナログの音声信号とが入力され、この第２入力切替部１２３は、システム制御系１６０の制御に基づいて、これらの入力された各音声信号を選択的に切り替えて第２Ａ／Ｄコンバータ１２５に出力する。
【００２３】
そして、第１Ａ／Ｄコンバータ１２４には、第１入力切替部１２２によって選択されたアナログ信号であるＴＶ用映像信号が入力され、この第１Ａ／Ｄコンバータ１２４は、入力されたアナログ信号であるＴＶ用映像信号をデジタル信号に変換して映像信号デコーダ１２６に出力する。
【００２４】
その後、映像信号デコーダ１２６には、デジタル信号に変換されたＴＶ用映像信号が入力され、この映像信号デコーダ１２６は、入力されたＴＶ用映像信号を復号化し、通常の映像信号、例えば、ＮＴＳＣ方式の映像信号に変換する。また、この映像信号デコーダ１２６は、変換した映像信号を選択部１２７に出力する。
【００２５】
一方、第２Ａ／Ｄコンバータ１２５には、第２入力切替部１２３によって選択されたアナログ信号である音声信号が入力され、第２Ａ／Ｄコンバータ１２５は、入力されたアナログ信号である音声信号をデジタル信号に変換して選択部１２７に出力する。
【００２６】
そして、選択部１２７は、映像信号デコーダ１２６及び第２Ａ／Ｄコンバータ１２５から出力された映像信号及び音声信号と、後述するダビングを行う際にＨＤドライブ２０１又はＤＶＤドライブ２０３から出力され、デコードされた映像信号及び音声信号と、が入力される。この選択部１２７は、システム制御系１６０の制御に基づいて、入力された映像信号及び音声信号の何れかを選択し、選択した映像信号を映像エンコーダ１２８に、選択した音声信号を音声エンコーダ１２９に出力する。
【００２７】
これにより、映像エンコーダ１２８には、選択部１２７によって選択された映像信号が入力され、この映像エンコーダ１２８は、入力された映像信号をＭＰＥＧフォーマットの映像データに変換し、当該変換した映像データをマルチプレクサ１３０に出力する。
【００２８】
一方、音声エンコーダ１２９には、選択部１２７によって選択された音声信号が入力され、この音声エンコーダ１２９は、入力された音声信号をＡＣ−３フォーマットの音声データに変換し、変換した音声データをマルチプレクサ１３０に出力する。
【００２９】
そして、マルチプレクサ１３０には、ＭＰＥＧフォーマットに変換された映像データとＡＣ−３フォーマットに変換された音声データとが入力され、このマルチプレクサ１３０は、入力された映像データ及び音声データに基づいて、プログラムストリームを生成すると共に、当該生成されたプログラムストリームを第１ドライブ切替部２０４及び第２ドライブ切替部２０６に出力する。
【００３０】
次に、実施形態のレコーダ１００におけるデータ再生系１４０の具体的構成及び動作について説明する。
【００３１】
実施形態のレコーダ１００におけるデータ再生系１４０は、ＨＤ２００からの再生出力又はＤＶＤ２０２からの再生出力のいずれかを選択する再生切替部１４１と、各ＨＤドライブ２０１又はＤＶＤドライブ２０３から出力された音声データ及び映像データをプログラムストリームから抽出するデマルチプレクサ１４２と、このデマルチプレクサ１４２によって分離された映像信号及び音声信号をデコードする再生手段としての映像デコーダ１４３及び音声デコーダ１４４と、映像デコーダ１４３及び音声デコーダ１４４から出力された映像信号及び音声信号とＴＶ受信部１２１から出力された映像信号及び音声信号とを切り替える出力切替部１４５と、後述するモニタに出力される画像上に重畳されるサムネイル（いわゆる代表画像）を生成するサムネイルＯＳＤ（Ｏｎ  Ｓｃｒｅｅｎ  Ｄｉｓｐｌａｙ）１４６と、ＴＶ信号に変換する映像信号エンコーダ１４７と、デジタル信号である映像信号をアナログ信号に変換する第２デジタル／アナログ（以下、「Ｄ／Ａ」と称する）コンバータ１４９と、デジタル信号である音声信号をアナログ信号に変換する第１Ｄ／Ａコンバータ１４８と、から構成され、アナログ信号に変換された映像信号及び音声信号は、映像出力端子及び音声出力端子を介して外部出力される。
【００３２】
このとき、再生切替部１４１には、ＨＤ用ドライブインターフェース２０５を介してＨＤドライブ２０１から出力されたプログラムストリームと、ＤＶＤ用ドライブインターフェース２０７を介してＤＶＤドライブ２０３から出力されたプログラムストリームと、が入力され、この再生切替部１４１は、システム制御部１６６の制御に基づいて、何れか一方のドライブから出力されたプログラムストリームを選択し、当該選択したプログラムストリームをデマルチプレクサ１４２に出力する。
【００３３】
そして、デマルチプレクサ１４２には、再生切替部１４１によって選択されたプログラムストリームが入力され、このデマルチプレクサ１４２は、この入力されたプログラムストリームから映像データ及び音声データを分離し、分離した映像データ及び音声データを、夫々、映像デコーダ１４３又は音声デコーダ１４４に出力する。
【００３４】
特に、このデマルチプレクサ１４２は、プログラムストリームからＭＰＥＧ形式を有する映像データ及びＡＣ−３形式を有する音声データを分離する。
【００３５】
そして、映像デコーダ１４３には、プログラムストリームから分離されたＭＰＥＧ形式を有する映像データが入力され、この映像デコーダ１４３は、入力されたＭＰＥＧ形式の映像データを復号化して映像信号に変換し、当該復号化されたデジタル信号である映像信号を出力切替部１４５に出力する。
【００３６】
一方、音声デコーダ１４４には、プログラムストリームから分離されたＡＣ−３形式を有する音声データが入力され、この音声デコーダ１４４は、入力されたＡＣ−３形式を有する音声データを復号化して音声信号に変換し、当該復号されたデジタル信号である音声信号を出力切替部１４５に出力する。
【００３７】
そして、出力切替部１４５には、データ記録系１２０から出力されたデジタル信号である映像信号及び音声信号と、映像デコーダ１４３及び音声デコーダ１４４によって復号化された映像信号及び音声信号と、が入力され、この出力切替部１４５は、システム制御部１６６の制御に基づいて、データ記録系１２０から出力された映像信号及び音声信号と、復号化された映像信号及び音声信号と、を切り替えて、映像信号をＯＳＤ１４６に、音声信号を第１Ｄ／Ａコンバータ１４８に、夫々出力する。
【００３８】
なお、実施形態では、出力切替部１４５には、映像信号デコーダ１２６から出力された映像信号及び第２Ａ／Ｄコンバータ１２５から出力された音声信号が入力される。
【００３９】
そして、ＯＳＤ１４６には、出力切替部１４５によって切り替えられた映像信号が入力され、このＯＳＤ１４６は、入力された映像信号に対して必要な文字情報等を重畳し、当該文字情報を重畳した映像信号を映像信号エンコーダ１４７に出力する。
【００４０】
なお、実施形態では、ＯＳＤ１４６は、後述するダビングを行う際に、システム制御系１６０の指示に基づいて、上記ダビングリストの内容を示す映像情報を生成し、当該生成した映像情報を入力された映像信号に重畳又は入力された映像信号から切り替えて映像信号エンコーダ１４７に出力する。
【００４１】
また、実施形態におけるＯＳＤ１４６において、上述のようにして生成されるダビングリストに相当する映像情報の詳細については後述する。
【００４２】
一方、映像信号エンコーダ１４７には、文字情報が重畳された映像信号が入力され、この映像信号エンコーダ１４７は、この入力された映像信号を外部のモニタなどに表示させるため、ＴＶ用の映像フォーマットに変換し、当該ＴＶ用のフォーマットに変換した映像信号を第２Ｄ／Ａコンバータ１４９に出力する。
【００４３】
そして、第２Ｄ／Ａコンバータ１４９には、ＴＶ用のフォーマットに変換され、デジタル信号である映像信号が入力され、この第２Ｄ／Ａコンバータ１４９は、この入力されたデジタル信号である映像信号をアナログ信号に変換し、当該アナログ信号に変換した映像信号を、映像出力端子を介して外部に出力する。
【００４４】
また、第１Ｄ／Ａコンバータ１４８には、出力切替部１４５によって切り替えられたデジタル信号である音声信号が入力され、この第１Ｄ／Ａコンバータ１４８は、入力されたデジタル信号である音声信号をアナログ信号に変換し、当該アナログ信号に変換した音声信号を、音声出力端子を介して外部に出力する。
【００４５】
次に、実施形態のレコーダ１００におけるシステム制御系１６０の具体的構成及び動作について説明する。
【００４６】
実施形態のレコーダ１００におけるシステム制御系１６０は、当該レコーダ１００を遠隔操作する第１予約手段及び第２予約手段としてのリモコン装置１６１から出射された光ビームを受光するリモコン受光部１６２と、使用者が操作設定を行う操作部１６３と、リモコン装置１６１又は操作部１６３による操作の確認等の使用者が所望する情報を表示する表示部１６４と、ダビング予約処理を行う際にリモコン装置１６１又は操作部１６３に入力されたキー入力の情報（以下、「キー入力情報」と称する）に基づいてダビング予約処理に必要な情報（以下、「ダビング予約情報」と称する）を設定すると共に、図示しないモニタに表示させるためＯＳＤ１４６を制御してダビング予約情報の映像情報を生成させるシステム制御部１６６と、各種動作に必要となるプログラムなどを記録するメモリ１６５と、システム全体を制御する算出手段、判定手段及び出力手段としてのシステム制御部１６６と、により構成されている。
【００４７】
ここで、リモコン装置１６１は、各種確認ボタン及び数字キー等の多数のキーと、例えばリモコン装置１６１の中央に設けられた上下及び左右のカーソルキーと、から構成されている。そして特に、上下及び左右のカーソルキー（以下、単に、「上下キー」、「左右キー」と称する）は、後述するダビング予約処理における予約開始時刻の設定及び予約終了時刻の設定を行う際に用いられる。
【００４８】
次に、リモコン受光部１６２は、リモコン装置１６１から出射された赤外線光等の光ビームを受光し、当該受光した光ビームを所定の信号に変換して操作部１６３に出力する。
【００４９】
そして、操作部１６３は、リモコン装置１６１と同様に各種確認ボタン及び数字キー等の多数のキーと、上下キー及び左右キーと、から構成され、特に、この上下キー及び左右キーは、後述するダビング予約処理における予約開始時刻の設定及び予約終了時刻の設定を行う際に用いる。
【００５０】
また、この操作部１６３は、キー操作にしたがって、又は、リモコン受光部１６２から出力された所定の信号をシステム制御部１６６に出力する。
【００５１】
なお、この操作部１６３の上下キー及び左右キーは、上記リモコン装置１６１の上下キー及び左右キーと同様の構成を有している。
【００５２】
他方、表示部１６４は、液晶などの複数の発光素子を備える発光部を有し、リモコン装置１６１又は操作部１６３による操作の確認等の使用者が所望する情報を表示する。
【００５３】
次に、ダビング予約情報設定部３００は、ＨＤ２００又はＤＶＤ２０２に予め設定した時間に放送番組を自動的に記録すると共に、ＨＤ２００に記録されている情報をＤＶＤ２０２にダビングする処理を予め予約するための設定（以下、「ダビング予約処理」と称する）を行う際に、リモコン装置１６１又は操作部１６３に入力されたキー入力情報に基づいてダビング予約処理に必要なダビング予約情報を設定すると共に、ＯＳＤ１４６に当該生成した予約番組表の映像情報を生成させ、当該生成させた予約番組表にダビング予約情報を重畳させて映像信号エンコーダ１４７及び第２Ｄ／Ａコンバータ１４９を介して外部に出力させる。
【００５４】
なお、実施形態におけるダビング予約情報設定部３００において実行される具体的な処理、並びにＯＳＤ１４６において生成されるダビングリストを示す映像情報の詳細については後述する。
【００５５】
次に、システム制御部１６６は、主に中央演算処理装置（ＣＰＵ）によって構成されると共に、キー入力ポート、表示部１６４出力ポート等の各種入出力ポートを含み、ＨＤ２００の再生及び記録、又はＤＶＤ２０２の再生及び記録の各処理のための全般的な機能を総括的に制御する。
【００５６】
特に、実施形態のシステム制御部１６６は、リモコン装置１６１又は操作部１６３における操作キーの入力に基づいて、ダビング予約情報設定部３００にダビング予約情報を設定させると共に、ＯＳＤ１４６によって生成されたダビングリストの映像情報を、映像信号エンコーダ１４７及び第２Ｄ／Ａコンバータ１４９を介して外部に出力させる。
【００５７】
また、システム制御部１６６は、ダビング予約処理を行う際に、又は、予約された放送番組をＨＤ２００又はＤＶＤ２０２に記録する際に、メモリ１６５に格納される制御プログラムを読み出して各処理を実行し、当該メモリ１６５に処理中のデータを一時的に保持する。
【００５８】
（ＩＩ）第１実施形態
次に、上述した構成を有するレコーダ１００において実行される、本願の第１実施形態としてのダビング予約処理を含むダビングについて、具体的に図２乃至図４を用いて説明する。
【００５９】
なお、図２は第１実施形態に係るダビングを示すフローチャートであり、図３及び図４は当該ダビングの実行時において図示しない外部のディスプレイ等に表示される操作画面の例を夫々示す図である。
【００６０】
先ず、以下に説明するダビングにおける前提事項について説明する。
【００６１】
以下に説明するダビングにつき、実施形態のレコーダ１００においては二種類のダビングの実行が可能とされている。その第一は、「高速ダビング」と称されるものであり、具体的には、情報のレートを一切変換せずに、ＨＤ２００に記録されている情報をその記録態様のまま記録フォーマットのみを変更してＤＶＤ２０２にダビングする処理である。そして、当該高速ダビングにおいては、レート変換処理が不要であるため、当該高速ダビングされる情報は、図１に示すＨＤ２００から検出された後、ＨＤ用ドライブインターフェース２０５→第１ドライブ切替部２０４→第２ドライブ切替部２０６→ＤＶＤ用ドライブインターフェース２０７のルートを経てＤＶＤ２０２に記録される。
【００６２】
一方、二種類のダビングの第二は、「レート変換ダビング」と称されるものであり、その名の通り情報のレートを所望される値に変換しつつ（すなわち、ＨＤ２００に記録されていたときの情報量と異なる情報量となるように加工しつつ）ＨＤ２００に記録されている情報をＤＶＤ２０２にダビングする処理である。そして、当該レート変換ダビングにおいては、そのレートを変換するにはＨＤ２００から検出された情報を復号し更にレートを変換しつつ再符号化する必要があることから、当該レート変換ダビングされる情報は、図１に示すＨＤ２００から検出された後、ＨＤ用ドライブインターフェース２０５→第１ドライブ切替部２０４→デマルチプレクサ１４２→音声デコーダ１４４及び映像デコーダ１４３→選択部１２７→映像エンコーダ１２８及び音声エンコーダ１２９→マルチプレクサ１３０→第２ドライブ切替部２０６→ＤＶＤ用ドライブインターフェース２０７のルートを経てＤＶＤ２０２に記録される。
【００６３】
ここで、ＤＶＤ２０２への情報の記録については、当該ＤＶＤ２０２への工学的な記録方法に起因して、受信した放送番組を記録する通常の録画処理と上記ダビングとを並行して実行することはできない。
【００６４】
これに対し、ＨＤ２００については、高速ダビングとＨＤ２００への上記録画処理とを並行して行うことは、映像エンコーダ１２８及び音声エンコーダ１２９を録画処理専用に用いることが可能であるため当該並行処理は可能であるが、上記レート変換ダビングと録画処理とを並行して行うことは、映像エンコーダ１２８及び音声エンコーダ１２９を当該二つの処理で共用することが不可能であるため当該並行処理を実行することはできない。
【００６５】
更に、以下のダビングを実行する前に、ＨＤ２００又はＤＶＤ２０２に対して所望される放送番組を録画するための録画予約処理が、その録画のための開始時刻及び終了時刻と共に実行済みであるとする。
【００６６】
以上の内容を前提として、次に、上記ダビング予約情報設定部３００及びシステム制御部１６６を中心として実行される第１実施形態に係るダビングについて説明する。
【００６７】
図２に示すように、第１実施形態に係るダビングでは、始めに、当該ダビングに含まれているダビング予約処理を行うために用いられる初期画面を図示しない外部のディスプレイ等（以下、単にディスプレイ等と称する）に表示する（ステップＳ１）。そして、当該表示されている初期画面を用いて、使用者がリモコン１６１又は操作部１６３を操作することにより、ダビングの対象とする情報の選択、当該選択された情報の登録及び当該登録の確定を行う（ステップＳ２）。
【００６８】
ここで、これらステップＳ１及びＳ２の処理に用いられる初期画面としては、例えば、図３（ａ）に示すような初期画面ＩＧが用いられる。この初期画面ＩＧにおいては、ＨＤ２００に記録されているダビングの対象となる情報を表示するオリジナル情報表示欄１００内に、当該ダビングの対象となる情報の内容を端的に示す代表画像（一般には、サムネイル画像とも称される）Ｓ１乃至Ｓ４が表示される。この代表画像Ｓにより、使用者がいずれの情報をダビングすべきかを認識することができる。
【００６９】
これに加えて、初期画面ＩＧには、オリジナル情報表示欄１００内に代表画像Ｓが表示されている情報のうち、実際にダビングの対象として選ばれた情報を表示するダビングリスト１０１が設けられている。そして、当該ダビングリスト１０１内に、ダビングの対象として選ばれた情報に対応するダビング代表画像ＳＳ１乃至ＳＳ４が表示される。なお、図３（ａ）に示す例では、ＨＤ２００に記録されている情報が全てダビングの対象とされたことになる。
【００７０】
この他に、初期画面ＩＧ内には、必要な警告文又は操作補助情報（いわゆるヘルプ）を表示するための表示欄１０３と、ダビング予約処理としての次の処理に移行するための移行ボタン１０４が表示されている。
【００７１】
ダビングの対象とすべき情報の登録等が完了すると、次に、当該登録された情報を全てダビングするために必要な時間が計算され、図１におけるメモリ１６５内に一時的に格納される（ステップＳ３）。
【００７２】
そして、ダビングの対象となる情報等の選択及び登録が終了すると、次に、その登録した情報のダビングを直ちに実行するか、又はダビング予約処理を実行するかが確認される（ステップＳ４）。そして、登録された情報を対象として直ちにダビングを開始するときは（ステップＳ４；ＮＯ）後述するダビングの実行に移り、一方、登録された情報を対象としてダビング予約処理を実行する場合には（ステップＳ４；ＹＥＳ）、次に、そのダビング予約処理に必要な予約情報画面をディスプレイ等に表示する（ステップＳ５）。この予約情報画面としては、例えば、図３（ｂ）に示す如き予約情報画面ＲＶがディスプレイ等に表示される。
【００７３】
このとき、当該予約情報画面ＲＶとしては、上記ステップＳ３においてメモリ１６５内に格納していた情報を読み出すことで当該ダビングに必要な時間を表示する所要時間表示欄１１０と、当該ダビングを実行する再の録画モードを示すモード表示欄１１１と、上記表示欄１０３と、を備えている。なお、図３に示す場合では、高速ダビングが予約にて実行されることを示している。
【００７４】
予約情報が表示されると、次に、実際のダビング予約処理に用いられる予約画面がディスプレイ等上に表示され、これを用いて実際のダビング予約処理（ステップＳ６乃至Ｓ１７）が実行される。
【００７５】
ここで、当該予約画面Ｒとしては、例えば図４（ａ）に示すように、上記所要時間表示欄１１０と、ダビング全体としての開始時刻及び終了時刻を示す時刻表示欄１２１と、入力して登録した内容を確定するか否かを確認してその確定処理を実行するための情報を表示する確認表示欄１２０と、を備えている。
【００７６】
そして、当該予約画面Ｒを用いて行う実際のダビング予約処理においては、先ず、使用者からいずれかの時刻が入力されると（ステップＳ６）、次に、その入力された時刻がダビングを開始する開始時刻であるか否かを確認し（ステップＳ７）、開始時刻の入力でなければ（ステップＳ７；ＮＯ）、その入力された時刻がダビングを終了する終了時刻であるか否かを確認し（ステップＳ８）、もし終了時刻でもない場合は（ステップＳ８；ＮＯ）、何らかの誤った操作が実行されたとして再度ステップＳ６の処理に戻る。
【００７７】
一方、ステップＳ７の判定において、入力された時刻が開始時刻であるときは（ステップＳ７；ＹＥＳ）、上記ステップＳ３においてメモリ１６５内に格納していた情報と入力された開始時刻情報とからそのダビングが終了する終了時刻を算出して時刻表示欄１２１に入力された開始時刻と共に表示し（ステップＳ７）次のステップＳ１１の処理に移行する。
【００７８】
また、ステップＳ８の判定において、入力された時刻が終了時刻であるときは（ステップＳ８；ＹＥＳ）、上記ステップＳ３においてメモリ１６５内に格納していた情報と入力された終了時刻情報とからそのダビングを開始すべき開始時刻を逆算して時刻表示欄１２１に入力された終了時刻と共に表示し（ステップＳ１０）次のステップＳ１１の処理に移行する。
【００７９】
そして、いずれかの方法によりダビングを実行する開始時刻又は終了時刻が入力されて当該ダビングを行うべき時間が認識されると、次に、その認識された時間と前もって予約されているＨＤ２００又はＤＶＤ２０２への録画予約の時間との重なり具合が確認される（ステップＳ１１、Ｓ１２）。
【００８０】
そして、既に予約されている録画予約時間と、ステップＳ１０までの処理で入力されているダビングのための予約時間と、が夫々の一部ででも重複しているときは（ステップＳ１２；ＹＥＳ）、次に、その重なっている夫々の予約の対象となっている記録処理の内容等に基づいて、その重なっている夫々の予約処理同士が、時間的に並行して実行され得るものであるか否かを確認する（ステップＳ１３）。
【００８１】
そして、夫々の予約処理が並行処理できないものであるときは（ステップＳ１３；ＮＯ）、その旨を示す警告文等を、上記予約画面Ｒ内の確認表示欄１２０に代えて表示される上記表示欄１０３内に表示して使用者に注意を喚起し（ステップＳ１５）、他の予約時間の入力を促すべく上記ステップＳ６の処理に戻る。
【００８２】
一方、ステップＳ１３の判定において、夫々の予約処理が並行処理可能なものであるときは（ステップＳ１３；ＹＥＳ）、次に、現在入力されている予約時間の内容（ダビングの開始時刻及び終了時刻を含む）を予約画面Ｒ内の時刻表示欄１２１に表示する（ステップＳ１４）。
【００８３】
ここで、上記ステップＳ１３の判定についてより具体的には、先ず、その重なっている予約処理が、ＤＶＤ２０２への録画とダビングのための予約処理であるときは、上述したごとくそれらは並行処理できないので上記ステップＳ１５の処理に移行する。また、その重なっている予約処理が、ＨＤ２００への録画とダビングであるときは、上述したように、当該ダビングが上記高速ダビングであるときは両者は並行処理が可能であるので上記ステップＳ１４へ移行し、一方、当該ダビングが上記レート変換ダビングである場合は叙述した如くそれらは並行処理できないので上記ステップＳ１５の処理に移行することになる。
【００８４】
上記ステップＳ１４の処理により現在の予約処理の内容が表示されると、次に、当該表示されている予約内容にて確定できるか否かを、例えば図４（ａ）に示すような確認表示欄１２０をディスプレイ等に表示して使用者に確認させ（ステップＳ１６）、当該予約内容で確定することが入力されないときは（ステップＳ１６；ＮＯ）他の予約時間の入力を促すべく上記ステップＳ６の処理に戻る。一方、当該予約内容にて確定することが入力されたときは（ステップＳ１６；ＹＥＳ）、次にその予約内容を実際にメモリ１６５内等に格納して登録し（ステップＳ１７）、次に他のダビングの内容を予約するか否かを確認する（ステップＳ１８）。
【００８５】
そして、他のダビング予約処理を行うときは（ステップＳ１８；ＹＥＳ）、再度上記ステップＳ１に戻って当該他のダビング予約処理を実行し、一方、現在の予約内容にてダビングを行うときは（ステップＳ１８；ＮＯ）、次に、システム制御部１６６内に備えられた図示しないタイマの計時内容を監視する（ステップＳ１９）。
【００８６】
そして、予約されている開始時刻（ダビングの開始時刻又は録画処理の開始時刻のいずれか）になっていないときは（ステップＳ１９；ＮＯ）その監視を継続し、一方、開始時刻になったときは（ステップＳ１９；ＹＥＳ）、その開始時刻がダビングの開始時刻か録画処理の開始時刻かを確認する（ステップＳ２０）。
【００８７】
ステップＳ２０の判定において、その開始時刻がダビングの開始時刻であるときは、例えば図４（ｂ）に示すような確認欄１３０を含む確認画面ＧＯを表示しつつ該当するダビングを実行し（ステップＳ２１）、その開始時刻が録画処理の開始時刻であるときは同様に確認画面ＧＯを表示しつつ該当する録画処理を実行し（ステップＳ２２）、いずれかの処理が終了したときは次の予約処理が予約されているか否かを確認する（ステップＳ２３）。そして、次の予約処理があるときは（ステップＳ２３；ＹＥＳ）上記ステップＳ１９に戻って当該次の予約処理を実行し、一方、次の予約処理がないときは（ステップＳ２３；ＮＯ）そのまま第１実施形態のダビングを終了する。
【００８８】
以上説明したように、第１実施形態のダビング予約処理を含むダビングによれば、ＤＶＤ２０２への録画処理の実行時間とダビングの実行時間とが重複して予約されているときにそれが禁止されている旨の告知をするので、その告知に則ってダビングの実行時間を変更することで、効率的にＤＶＤ２０２への録画処理とダビングとを両立させることができる。
【００８９】
また、同じ符号化処理を実行することが必要な録画処理の実行時間とレート変換ダビングの実行時間とが重複して予約されているときにそれが禁止されている旨の告知をするので、その告知に則ってレート変換ダビングの実行時間を変更することで、同じ符号化処理を実行することが必要な録画処理とレート変換ダビングとについて、効率的にこれらを両立させることができる。
【００９０】
（ＩＩＩ）第２実施形態
次に、上述した構成を有するレコーダ１００において実行される、本願の他の実施形態である第２実施形態としてのダビングについて、具体的に図５乃至図７を用いて説明する。
【００９１】
なお、図５は第２実施形態に係るダビングを示すフローチャートであり、図６及び図７は当該ダビングの実行時においてディスプレイ等に表示される操作画面の例を夫々示す図である。
【００９２】
上述した第１実施形態においては、録画処理の予約時間とダビングの予約時間とを単純に比較して重複していればダビングの予約時間の方を変更する場合について説明したが、以下に説明する第２実施形態においては、当該重複がある場合、ダビングの予約時間を分割して予約し直す場合について説明する。
【００９３】
なお、図５に示すフローチャートにおいては、上記図２に示した第１実施形態のダビングと同一の処理については、同一のステップ番号を付して細部の説明は省略する。また、図６又は図７に示す画面表示例においても、上記図３又は図４に示した第１実施形態の画面表示例と同一の欄等については、同一の部材番号を付して細部の説明は省略する。
【００９４】
更に、第２実施形態のダビングにおける前提事項は、第１実施形態における前提事項と同様であるので、細部の説明は省略する。
【００９５】
図５に示すように、第２実施形態に係るダビングでは、始めに、第１実施形態に係るダビングと同様のステップＳ１乃至Ｓ６の処理を実行する（図２参照）。
【００９６】
ここで、第２実施形態の場合におけるステップＳ５及びＳ６の処理においては、それらに用いられる予約画面Ｒとしては、例えば図６（ａ）に示すように、上記所要時間表示欄１１０と、ダビングの開始時刻を示す開始時刻表示欄１２１Ａ及びその開始時刻にて決定する場合に操作される決定アイコン１２１Ｂを含む時刻表示欄１２１と、上記確認表示欄１０３と、を備えている。
【００９７】
そして、ダビングを実行する開始時刻又は終了時刻が入力されて当該ダビングを行うべき時間が認識されると、次に、前もって予約されているＨＤ２００又はＤＶＤ２０２への録画予約の時間が確認される（ステップＳ３０）。
【００９８】
そして、ダビングを実行すべきとして予約された時間帯内に当該他の録画予約が成されているか否かを確認し（ステップＳ３１）、他の録画予約がないときは（ステップＳ３１；ＮＯ）そのまま後述するステップＳ３３の処理に移行し、一方、他の録画予約があるときは（ステップＳ３１；ＹＥＳ）、次に、当該他の録画予約に対応する録画処理とダビングの内容等に基づいて、それらの処理同士が時間的に並行して実行され得るものであるか否かを確認する（ステップＳ３２）。このとき、当該ステップＳ３２における判定基準としては、第１実施形態のステップＳ１３の処理に用いられた判定基準と同様のものが用いられる。
【００９９】
そして、夫々の処理が並行処理できないものであるときは（ステップＳ３２；ＮＯ）、上記ステップＳ３０に戻って、ダビングを実行する時間を他の録画予約が成されていない時間にのみ当該ダビングを実行するように分割しつつ他の録画予約との重なりを調整する。
【０１００】
一方、ステップＳ３２の判定において、夫々の処理が並行処理できるものであるときは（ステップＳ３２；ＹＥＳ）、現在入力されている予約時間の内容（ダビングの開始時刻及び終了時刻を含む）をメモリ１６５等に格納して登録し（ステップＳ３３）、所望されるダビングの予約が全て完了したか否かが確認される（ステップＳ３４）。そして、全て完了しているときは（ステップＳ３４）その完了している予約内容に対応する開始時刻及び終了時刻を、図７に示す予約画面Ｒ内の時刻表示欄１２１に表示する（ステップＳ１４）。
【０１０１】
ここで、上記ステップＳ３０乃至Ｓ３４における予約時間の取得処理について具体的に説明すると、図６（ｂ）に示す予約情報テーブルＴＢのように、使用者が入力したダビングの開始時刻から始まる時間帯内において、既に設定されている録画予約があるか否かをその時間帯の最初から順に確認し、当該録画予約がある場合は、ダビングのための時間帯を当該録画予約の時間帯以外の時間帯に区切って分割し、その空いている時間帯にダビング予約の設定を行う。図６（ｂ）に示す場合には、予約時間帯２、４及び５に既に録画予約が夫々成されているので、録画処理と並行処理できないダビングのための時間帯としては予約時間帯１、３及び６が採用されることになる。なお、ＨＤ２００に対する録画処理と高速ダビングとが同じ時間帯に予約される場合は、これらは並行処理が可能なので当該ダビングを実行する時間帯を分割する必要はない。
【０１０２】
そして、ダビングのための時間帯の確保が完了して予約画面Ｒがディスプレイ等に表示されるときには、図７に示すように、その終了時刻は、第１実施形態の分割しない場合（図４（ａ）参照）に比して遅い時刻が予約されることになる。
【０１０３】
開始時刻と終了時刻が設定されて予約画面Ｒが表示された（ステップＳ１４）後は、第１実施形態に係るダビング予約処理と同様のステップＳ１６乃至Ｓ２３の処理が実行されて第２実施形態に係るダビングを終了する。
【０１０４】
以上説明したように、第２実施形態のダビングによれば、第１実施形態におけるダビングの効果に加えて、録画処理の実行時間とダビングの実行時間とが重複して予約されているとき、当該録画処理の実行時間に対応してダビング実行の予約時間を変更するので、空いた時間を用いてダビングを効率的に完了させることができる。
【０１０５】
また、録画処理の実行時間に対応してダビング実行の予約時間を分割して設定するので、空いた時間を用いてダビングを効率的に完了させることができる。
【０１０６】
更に、ダビングを開始すべき時刻が入力されたときにその時刻以降順次空いている時間を用いて当該ダビングを実行するので、指定された開始時刻以降に効率的にダビングを実行することができる。
【０１０７】
なお、上述した第２実施形態において開始時刻の到来を待っている間（ステップ１９；ＮＯ）に他の録画予約が新たに為された場合には、その新たな録画予約を優先し、当該新たな録画予約の内容を踏まえて上述したダビング予約内容の分割処理（上記ステップＳ３０乃至Ｓ３４）をやり直すように構成することも可能である。
【０１０８】
また、上述した第２実施形態においては、ダビングを開始すべき時刻が入力されたときにその時刻以降順次空いている時間を用いて当該ダビングを実行する場合について説明したが、これ以外に、ダビングを終了すべき時刻が入力されたときには、その時刻から遡って順次空いている時間を用いて当該ダビングを実行するように予約ように構成することもできる。
【０１０９】
この構成によれば、ダビングの終了時刻が入力されたときにその時刻から遡って順次空いている時間を用いて当該ダビングを実行するので、指定された終了時刻までに効率的にダビングを実行することができる。
【０１１０】
なお、この場合において、現在時刻まで遡っても全てのダビングのための時間帯が確保できないときは、当該ダビングのための予約を取り消して使用者に新たな予約処理を行わせる必要がある。
【０１１１】
また、上述した各実施形態においては、ＨＤ２００からＤＶＤ２０２へダビングする場合について説明したが、これ以外に、ＤＶＤ２０２からＨＤ２００へのダビング実行の予約処理に対して本願を適用することもできるし、或いはＨＤ同士間又はＤＶＤ同士間のダビング実行の予約処理に対して本願を適用することも可能である。
【０１１２】
また、上述の各実施形態においては、ＨＤ２００からＤＶＤ２０２へのダビングという、異なる媒体間のダビングに対して本願を適用した場合について夫々説明したが、これ以外に、同一のＨＤや同一のＤＶＤ内での再記録（再生した元の媒体への再記録）と録画予約が重複する場合に対しても本願は適応可能である。
【０１１３】
更に、図２又は図５に示すフローチャートに対応するプログラムをフレキシブルディスク又はＨＤ等の情報記録媒体に記録しておき、或いはインターネット等のネットワークを介して取得して記録しておき、これらをマイクロコンピュータ等の汎用のコンピュータで読み込んで実行することにより、当該コンピュータを実施形態に係るシステム制御部１６６として実行させることも可能である。
【図面の簡単な説明】
【図１】実施形態に係るレコーダの概要構成を示すブロック図である。
【図２】第１実施形態に係るダビングを示すフローチャートである。
【図３】第１実施形態に係るダビングの実行中に表示される画面例を示す図（Ｉ）であり、（ａ）は初期画面の例を示す図であり、（ｂ）は予約情報画面の例を示す図である。
【図４】第１実施形態に係るダビングの実行中に表示される画面例を示す図（ＩＩ）であり、（ａ）は予約画面の例を示す図であり、（ｂ）は確認画面の例を示す図である。
【図５】第２実施形態に係るダビングを示すフローチャートである。
【図６】第２実施形態に係るダビングを示す図（Ｉ）であり、（ａ）は予約画面の例を示す図であり、（ｂ）は当該ダビングを説明する概念図である。
【図７】第２実施形態に係るダビングの実行中に表示される確認画面の例を示す図である。
【符号の説明】
１００…レコーダ
１１０…所要時間表示欄
１２１…時刻表示欄
１６５…メモリ
２００…ＨＤ
２０２…ＤＶＤ
３００…ダビング予約情報設定部
ＲＶ…予約情報画面
Ｒ…予約画面
ＧＯ…確認画面
ＴＢ…予約情報テーブル
【図１】
2005044423.tif 000003
【図２】
2005044423.tif 000004
【図３】
2005044423.tif 000005
【図４】
2005044423.tif 000006
【図５】
2005044423.tif 000007
【図６】
2005044423.tif 000008
【図７】
2005044423.tif 000009